(57)【要約】      （修正有）【課題】一安定的電波を放出して健康を促進するエナジーチップの構造を提供する。【解決手段】エナジーチップの構造は、主に、ベース１２、エナジーチップ１４及び保護層１６を含み、ベース１２は内溝１２０を有しており、エナジーチップ１４は内溝１２０の上方に設置され、一安定的電波を放出しており、保護層１６はエナジーチップ１４の上方に設けられ、密封ストレージ技術により内溝１２０に被覆されている。そのうち、エナジーチップの構造の外形は、円形、ダイヤモンド形、ひし形、ハート形、楕円形及び多辺形のいずれか一つである。また、ベース１２及び保護層１６の材質は、シリコーン、ゴム及びグリーン樹脂のいずれか一つにすることができ、材質にはマイナスイオン成分が含まれ、非侵襲性、非毒性、抗菌性、リサイクル性及びクレンジング性を有している。【選択図】図１
0003182926.tif 000002
【実用新案登録請求の範囲】
【請求項１】
内溝を有するベースと、
前記内溝に設けられ、一安定的電波を放出するエナジーチップと、
前記エナジーチップの上方に設けられ、密封ストレージ技術により前記内溝を被覆する保護層と、
を包括していることを特徴とする、エナジーチップの構造。
【請求項２】
前記エナジーチップの構造の外形は、円形、ダイヤモンド形、ひし形、ハート形、楕円形及び多辺形のいずれか一つであることを特徴とする、請求項１に記載のエナジーチップの構造。
【請求項３】
前記ベース及び前記保護層の材質は、シリコーン、ゴム及びグリーン樹脂のいずれか一つであることを特徴とする、請求項１に記載のエナジーチップの構造。
【請求項４】
前記材質は、マイナスイオンの成分を更に含んでいることを特徴とする、請求項３に記載のエナジーチップの構造。
【請求項５】
前記材質は、非侵襲性、非毒性、抗菌性、リサイクル性及びクレンジング性を有していることを特徴とする、請求項３に記載のエナジーチップの構造。
【考案の詳細な説明】
【技術分野】
【０００１】
本考案は、特に一安定的電波を放出して健康を促進するエナジーチップの構造に関する。
【背景技術】
【０００２】
科学の進歩に伴い、例えば、チタンネックレス、ゲルマニウムリング、チタンゲルマニウムブレスレット、遠赤外線アクセサリー等に係る鉱石或いはエナジー商品といった健康関連商品も進化している。効果があるか否かは別として、その目的は、生理的機能の調整と、体質の改善にある。
【０００３】
上記の鉱石を用いた健康関連商品は、エナジーの放出によって、間接的に体質を改善しているが、実際、鉱石を含む商品は、研磨工程を経て粉末状にし、アクセサリーに含ませる必要がある。また、鉱石自体多くのプラスイオンやマイナスイオン等の元素を含んでおり、医学的研究によればプラスイオンは「悪影響イオン」とも称され、生体的健康に悪影響をもたらすとされ、それに対し、マイナスイオンは「好影響イオン」と称され、生体的健康に好影響をもたらすとしているため、鉱石によって構成される商品では、どのくらいのポジティブエネルギーが含まれているか確認できない。また、これら商品の多くは、長期的に着用又は使用しなければその効果をもたらすことができない。そのため、ユーザにマイナスのイメージを与え、商品に対する信用度が低下する。
【０００４】
上記の処々欠点を鑑み、本考案はエナジーチップの構造を提供するものであって、その構造はマイナスイオン成分及び遠赤外線技術を結合し、分子共鳴理論を応用している。これによって、ユーザは本考案に係る商品を使用した際、エナジーチップの構造がもたらすヘルス効果が得られ、体質が向上し、身体がより健康になり、体質が改善される。
【考案の概要】
【考案が解決しようとする課題】
【０００５】
上記周知技術の欠点を鑑み、本考案はエナジーチップの構造を提供する。
【課題を解決するための手段】
【０００６】
本考案は、内溝を含むベースと、内溝の上方に設置され、一安定的電波を放出するエナジーチップと、エナジーチップの上方に設けられ、密封ストレージ技術により内溝を被覆する保護層とを包括しているエナジーチップの構造である。これによって、体質のケアを行い、身体的健康を促進している。
【０００７】
周知技術と比較すると、本考案のエナジーチップの構造は、以下のとおりに一つ或いは二つ以上の利点がある。
（１）エナジーチップの構造が放出する安定的電波は遠赤外線を含んでおり、血液の循環を促し、身体組織を活性化させ、酵素の生成が促進される。
（２）エナジーチップの構造はマイナスイオンシリコーン成分を含んでおり、細胞の活性化、血液の浄化、抵抗力の増強及び自律神経の調整が補助される。
（３）エナジーチップの構造は特定の波長周波数が組み込まれており、波長周波数は身体の水分子と共振し、新陳代謝が促進される。
（４）エナジーチップの構造はヘモグロビンの生成を促進することができ、血流量、血流速度及び血液中の酸素含有量が増加される。
（５）エナジーチップの構造は装飾品内に設けることができ、これによって装飾品から身体にエナジーが放出され、身体に対するヘルス効果が増加される。
（６）エナジーチップの構造はユーザの身体に着用することができ、身体を迅速に活発化させ、スタミナ、衝突力、耐衝突力及び柔軟性が強化される。
（７）エナジーチップの構造は非侵襲性、非毒性、抗菌性、リサイクル性及びクレンジング性等の長所を有している。
【図面の簡単な説明】
【０００８】
【図１】本考案のエナジーチップの構造に係る分解図である。
【図２】本考案のエナジーチップの構造に係るエナジーチップの概略図である。
【図３】本考案のエナジーチップの構造に係る組立図である。
【図４】本考案のエナジーチップの構造に係る実施形態図である。
【考案を実施するための形態】
【０００９】
本考案の目的、特徴及び効果を十分に理解してもらうため、下記の具体的な実施例並びに図面を併用し、本考案に対して詳細な説明を行う。
【００１０】
本考案のエナジーチップの構造に係る分解図である図１を参照すると、主に、ベース１２、エナジーチップ１４及び保護層１６を含み、ベース１２は内溝１２０を有しており、エナジーチップ１４は内溝１２０の上方に設置され、一安定的電波を放出しており、保護層１６はエナジーチップ１４の上方に設けられ、密封ストレージ技術により内溝１２０に被覆されている。そのうち、エナジーチップの構造の外形は、円形、ダイヤモンド形、ひし形、ハート形、楕円形及び多辺形のいずれか一つである。
【００１１】
また、ベース１２及び保護層１６の材質は、シリコーン、ゴム及びグリーン樹脂のいずれか一つにすることができ、材質にはマイナスイオン成分が含まれ、非侵襲性、非毒性、抗菌性、リサイクル性及びクレンジング性を有している。
【００１２】
本考案のエナジーチップの構造に係るエナジーチップの概略図である図２を参照すると、ボード２は複数のエナジーチップ１４を有しており、これらエナジーチップ１４は特定の波長周波数が指定されており、作業マシーン（図示されていない）によって特定の波長周波数がエナジーチップ１４に組み込まれている。そのうち、特定の波長周波数は遠赤外線及び安定的電波を含んでいる。
【００１３】
また、エナジーチップ１４が放出する遠赤外線エナジーは、科学者より育成光線と称され、且つ物理学的理論によれば、人体と同じ波長の遠赤外線エナジーを提供できれば、人体に大量かつ迅速に吸収することができ、その吸収された遠赤外線エナジーは、血液の循環を促進し、新陳代謝を高め、打撲した細胞等の修復を行い、身体組織を活性化させ、酵素の生成が促進されている。
【００１４】
なお、エナジーチップ１４が放出する遠赤外線エナジーによって、安定的電波が人体に浸透し易く促され、さらに身体の原子及び分子の振動によって、分子配列の小さい水分子が急速に細胞膜と融合し、細胞に必要な水分を補給しており、これによって細胞に必要な養分が提供され、代謝能力を高めている。また、台湾の工業技術研究院（Ｉｎｄｕｓｔｒｉａｌ  Ｔｅｃｈｎｏｌｏｇｙ  Ｒｅｓｅａｒｃｈ  Ｉｎｓｔｉｔｕｔｅ）の検査報告によれば、温度４０℃、波長４−１４マイクロメートル（μｍ）の状況下において、エナジーチップ１４の平均放射率は０．８３９であった。
【００１５】
本考案のエナジーチップの構造に係る組立図である図３を参照すると、エナジーチップ１４は、ベース１２の内溝１２０に設けられており、密封ストレージ技術により保護層１６をベース１２の内溝１２０上に完全に被覆している。
【００１６】
エナジーチップ１４がエナジーを放出している過程において、保護層１６はエナジーチップ１４が空気と接触しないよう遮断することで、エナジーチップの構造１の使用期間を延長している。また、ベース１２及び保護層１６が有するマイナスイオン成分は、細胞の活性化、血液の浄化、抵抗力の増強及び自律神経の調整を助けている。また、台湾検験科技股▲ふん▼有限公司（ＳＧＳ  Ｔａｉｗａｎ  Ｌｔｄ．）の検査報告によれば、温度２６℃、湿度４９％（ＲＨ）におけるマイナスイオン含有量は８９７個／立方センチメートル（ｌｏｎｓ／ｃ．ｃ．）であった。
【００１７】
また、台湾の財団法人紡織産業綜合研究所（ＴＴＲＩ）の検査報告によれば、気温２０℃、湿度６５％（ＲＨ)において、エナジーチップの構造１を使用していない場合と、エナジーチップの構造１した場合とでは、血流量は＋１７．２％、血流速度は＋１４．３％増加し、皮膚の温度は＋０．５９℃上昇したことが分かった。このことから、エナジーチップの構造１はヘモグロビンの生成を促進するだけでなく、血液中の酸素含有量が増加されることが分かる。
【００１８】
本考案のエナジーチップの構造に係る実施形態図である図４を参照すると、該実施形態は、ダイヤモンド形態で表されており、ダイヤモンドの形をしたエナジーチップ１４によってエナジーチップ１４とアクセサリ（図示されていない）との装飾性が向上し、美的感覚及びユニーク性が高まるだけでなく、ダイヤモンドの形をしたエナジーチップ１４は、その他の形をしたエナジーチップ１４よりエナジーを多く含んでいる。
【００１９】
特に、エナジーチップの構造１は、ブレスレット、ネックレス、アンクレット及び身につけられる装飾品或いは衣服に設けることができ、且つエナジーチップの構造１は、身体のどの位置、どの方向、どの角度に設けても、ユーザは、筋肉の柔軟性及び伸縮性の増強、バランス感覚の改善、パワー及びスタミナの増加、瞬発力及び衝突耐性の向上、そして血液循環の増加等の、身体機能の改善と増強といった顕著な効果を測定することができる。
【００２０】
以上で本考案の詳細な説明を行ったが、上記で述べたものは、単に本考案の最良の実施例を示したまでであって、本考案の分野を熟知した者からすれば、これら実施例は、本考案を叙述するために用いただけであって、本考案の範囲を制限を制限するものではない。たとえ本考案の提示した技術的特徴の範囲を逸脱せずに加えた変化や修飾等は、いずれも本考案の技術的特徴の範囲内に含まれる。
【符号の説明】
【００２１】
１        エナジーチップの構造
１２      ベース
１２０    内溝
１４      エナジーチップ
１６      保護層
２        ボード
【図１】
0003182926.tif 000003
【図２】
0003182926.tif 000004
【図３】
0003182926.tif 000005
【図４】
0003182926.tif 000006